(57)【要約】【課題】鋏を手にしたままの状態で櫛を握ることが容易な理容鋏を提供すること。【解決手段】刃体２の２本を枢着した鋏１であって、刃体２は少なくとも柄部２０と指環３０とを有し、指環３０は柄部２０とは別体に設けられると共に、刃体２の長手方向と略直角を成す回動軸４０で柄部２０に軸着され、更に、２本の刃体２，２の回動軸４０の各々が、鋏１を閉じたときには同一直線状をなす様に設けられたことを特徴とする理容鋏である。【選択図】　　図１
2004081426.tif 000002
【特許請求の範囲】
【請求項１】
刃体の２本を枢着した鋏であって、前記刃体は少なくとも柄部と指環とを有し、
前記指環は柄部とは別体に設けられると共に、前記刃体の長手方向と略直角を成す回動軸で前記柄部に軸着され、
更に、２本の前記刃体の前記回動軸の各々が、前記鋏を閉じたときには同一直線状をなす様に設けられたことを特徴とする理容鋏。
【請求項２】
指環と柄部との間に、柄部に対する指環の相対的な回動を柄部に対する所定の回動位置で規制する規制部を設けたことを特徴とする請求項１記載の理容鋏。
【請求項３】
規制部は、柄部が指環の略接線状をなす回動位置で指環の回動を規制する様に設けられたことを特徴とする請求項２記載の理容鋏。
【請求項４】
規制部は、柄部側に設けられた凸部又は凹部と、指環の外周面に設けられた凹部又は凸部とが対峙して互いに係合し合う位置関係に形成されて成ることを特徴とする請求項３記載の理容鋏。
【発明の詳細な説明】
【０００１】
【発明の属する技術分野】
この発明は理美容に用いられる鋏の改良に関し、鋏を持ったまま櫛を使った作業が容易に行える理容鋏に関する。
【０００２】
【従来の技術】
理美容店などで、鋏で髪を切るときには、髪を櫛でときながら髪を切るのが一般的な手法である。髪は、同じ方向に揃った状態で切らないと、切った髪の長さが正確でなくなるからである。その為、髪を切る作業中は、櫛で髪をといでから髪を切り、髪を切ったらまた櫛をといで髪を切る、という操作を交互に繰り返されている。
例えば美容師が右利きであれば鋏は右手で持つ。しかし櫛をとく時も右手である。詰まり、図８に示す様に右手で櫛Ｋを持ち、頭髪に櫛を入れてとく仕草をしながら髪（つまり毛束）を櫛で取り出し、右手の櫛で取り出した毛束を左手で持って、この毛束を右手の櫛でとくのである。
【０００３】
つまり右手（利き手）は、鋏を持つが、櫛も持つ必要があるのである。その為、鋏を持ったまま同じ右手で櫛を持とうと、色々な工夫をしている。
例えば、親指だけを鋏から抜いて、その指で鋏を持ったまま櫛を持つのである。
また例えば、鋏は一般に順手握りの向きで握るところを、やはり親指を抜いて鋏を逆手握りに握り直し、櫛を握るのである。こうすると手の平が空いて櫛を持ちやすくなり、鋏の先端が顧客の頭に向かない状態となるので都合がよく、よく用いられている方法の一つである。順手・逆手と握り直すときは、指環に指してある残りの指を軸に半回転させ、戻すときも同様に半回転させるのである。
櫛を入れ終わったら櫛を左手に移して、鋏で髪を数回切る操作をする。この様に、右利きであれば右手で鋏と櫛の操作を交互に行うのである。
【０００４】
【発明が解決しようとする課題】
ただ親指を抜いたり入れたり、また半回転させたり、それを半回転戻したりするのが面倒である。
この問題を鑑み、本願発明の目的とするところは、鋏を手にしたままの状態で櫛を握ることが容易な理容鋏を提供することである。
【０００５】
【課題を解決するための手段と発明の効果】
本願発明は２本の刃体を枢着した理容鋏であって、前記刃体は柄部と指環とを有した鋏にかかる発明である。
即ち請求項１に記載された発明は、前記指環が、刃体の長手方向と略直角な回動軸で前記柄部の各々に軸着されると共に、鋏を閉じたときには前記回動軸の各々が同一直線状をなすことを特徴としている。
これにより鋏を握って閉じた状態であれば、指環に指を通したまま鋏の本体部分（指環以外の部分）を、指環に対して回動させることができる。そのため、略１８０度回転（半回転）させることもでき、これにより鋏を握り直すことなく順手から逆手に（或いはその逆に）握りの向きを変える事ができる。
【０００６】
請求項２記載の発明は、指環と柄部との間に、柄部に対する指環の相対的な回動を柄部に対する所定の回動位置で規制する規制部を設けたことを特徴としている。
これにより、鋏を閉じて握った状態で鋏の本体部分を回転させるときには、（指環に対する）所定の回動位置で位置固定が可能となり、ブラつくことがない。請求項３記載の発明では、規制部は、柄部が指環の接線状をなす回動位置で指環の回動を規制する様に設けられたことを特徴としている。
これにより、鋏の本体部分は順手の位置と逆手の位置とで固定されることとなる。
【０００７】
請求項４記載の発明では、規制部は、柄部側に設けられた凸部又は凹部と、指環の外周面に設けられた凹部又は凸部とが対峙して互いに係合し合う位置関係に形成されて成ることを特徴としている。
これにより、軽微な機構で、確実な回動固定で実現できる。
【０００８】
【発明の実施の形態】
次の、本願発明の理容鋏の実施例を説明する。
この鋏は、図１−図２に示す様に、刃体２の２本を枢着した鋏１であって、刃体２は共に、刃部１０と柄部２０と指環３０とを有している。
【０００９】
また指環３０は、刃部１０と柄部２０とからなる本体部分３とは別体に設けられている。即ち指環３０は柄部２０の末端となる柄尻部分２１に回動可能に軸支されており、具体的には、以下の様に形成されている。
まず柄尻部分２１は、図１−図４に示す様に直線な角棒状を成し、鋏１を閉じたときには、２本の刃体２，２の柄尻部分２１，２１が互いに平行となる様に形成されている。柄尻部分２１の直線方向Ｌは刃体の長手方向Ｍと若干角度を成しているものの、略同方向を成している（図１）。そして指環３０は、柄尻部分２１の外側面Ｓａ（ここでは、鋏１を閉じた際の、柄部２０の対峙し合う側を内側面Ｓｂ、反対側を外側面Ｓａという）にて、この柄尻部分２１の長手方向Ｌと略直角を成す回動軸４０で柄部２０に軸着されている。更にこの様にして、２本の各刃体２，２に形成される回動軸４０，４０は、鋏１を閉じたときには同一直線状をなす配置関係に設けられている。
【００１０】
この回動軸４０は、具体的には図２−図４に示す様に、柄尻部分２１の内側面Ｓｂから回しながら差し入れたネジ４１であり、外側面に突き出たこのネジ４１に、指環３０を螺号させるのである。これにより指環３０が回動可能に軸支されるのである。
【００１１】
動刃２ａ側の柄尻部分２１には、回動軸４０よりも末端寄りに円錐台状のヒットポイント２２が設けてあり、鋏１を閉じるときの柄尻部分２１，２１同士が当たる際の緩衝材となっている。
【００１２】
柄尻部分２１の外側面Ｓａは、回動軸４０よりも柄部２０の基端寄りの部分が平面視略三角の膨出部分２３に形成されていて、この膨出部分２３が指環３０の外周面３１（図１）と近接する様に形成されている。そしてこの様に近接した指環３０と柄部２０との間に、柄部２０に対する指環３０の相対的な回動を、柄部２０に対する所定の回動位置で規制する為の規制部Ｘが設けられている。
具体的には、柄部２０の内側面Ｓｂからネジ２４が回しながら差し入れてあり、外側面Ｓａの膨出部２３から、凸部２５に形成されたネジの先端が僅かに突き出て、指環の外周面に当接する様に位置させてある。一方、指環のこの当接部分には、ネジの先端の凸部２５に対峙して凹部３２が形成され、これら凹部３２と凸部２５が互いに係合し合う位置関係に形成されて、指環の回動を規制する規制部Ｘを成しているのである。この規制部Ｘにより指環３０の回動位置が規制されるときには、柄部２０が指環３０の略接線状をなす回動位置で規制される。換言すれば、指環３０と柄尻部分２１とが同一平面内となる回動位置にて指環３０の回動が規制されるのであり、この規制位置であれば、一般的な鋏における柄部２０と指環３０との配置関係と同じ配置になるのである。
【００１３】
なお、指環３０の外周面３１には、回動軸４０を挟んだ対象位置に２つの凹部３２，３２が形成されている。そのため、図に示した位置から指環を１８０度回動させるともう１つの凹部３２が凸部２５に係合して、その回動位置にて回動が規制され様になっている。
【００１４】
次にこの鋏（右利き用の鋏）の使用方法を説明する。
この鋏１は通常は、図５に示す様に右手で順手握りに持って用いるのであるが、同じ右手で櫛を使おうとする場合には、鋏１を閉じた状態で鋏１の本体部分３を１８０度回動させ、図６に示す位置にもってくるのである。この際、右手の指は鋏１を使っているときと同様に指環３０に差したままでよく、また回動自身は左手を刃部１０に宛うなどして回動させればよいのである。回動により鋏１は、図６のような逆手握りの状態となり、この状態で櫛を使うと、鋏１の先端Ｐが人の頭の方を向かなくなるので安全である。また櫛を順手で握ることも容易となる。
【００１５】
櫛で髪を梳いたら、右手に握られている鋏１の本体部分３を元の位置となる様に１８０度回動させ、図５の位置となる様にして、また髪を切るのである。
【００１６】
以降、以上のことを繰り返すことにより、櫛で髪をすいて整えながら髪を切ってゆくことができるのである。
【００１７】
なお、鋏を握るときには、握り方により指環の向きが指の向きに合わせて変えられると操作しやすくなる場合がある。例えば図７に示す様な、腕と鋏の長手がほぼ同じ向き揃う様な握り方の場合には、図７に示されている様に、親指の指環が刃体の長手と角度を成す様にすると握り易くなる。この点、本願の鋏であれば、図７の様な向きに指環を回動してその向き変えることができるのであり、これにより図７の様な握り方を容易にすることができる。
【００１８】
本願発明は、上記実施例に限るものではなく、発明の趣旨から逸脱しない範囲で、どの様に実施されてもよい。
柄部の形状は実施例と異なっていてもよく、回動軸もネジ以外の方法により実現されてもよい。また規制部も、凹部と凸部によらず、他の方法で実現されてもよい。
【図面の簡単な説明】
【図１】この図は、実施例に示す本願発明の理容鋏である。
【図２】この図は、図１に鋏において、動刃側の指環と柄尻部分を切り欠いて断面図的に表した図である。
【図３】この図は、動刃側の指環と柄尻部分を切り欠いて示した部分切り欠き斜視図である。
【図４】この図は、動刃側の指環と柄尻部分を切り欠いて示した部分切り欠き斜視図である。
【図５】この図は、図１の鋏を握った図である。
【図６】この図は、図５の状態から、鋏を握ったまま鋏の本体部分を１８０度回動させ、逆手の握りにした様子の図である。
【図７】この図は、鋏と腕とを同じ方向にした握り方の図である。
【図８】この図は、櫛を使い時の様子の説明図である。
【符号の説明】
１　鋏
２　刃体
３　本体部分
１０　刃部
２０　柄部
２１　柄尻部分
２２　ヒットポイント
２３　膨出部分
２４　ネジ
２５　凸部
３０　指環
３１　外周面
３２　凹部
４０　回動軸
４１　ネジ
Ｘ　規制部
Ｓａ　外面側
Ｓｂ　内面側
【図１】
2004081426.tif 000003
【図２】
2004081426.tif 000004
【図３】
2004081426.tif 000005
【図４】
2004081426.tif 000006
【図５】
2004081426.tif 000007
【図６】
2004081426.tif 000008
【図７】
2004081426.tif 000009
【図８】
2004081426.tif 000010